(57)【要約】【課題】  無線通信の設定を簡素化する方法またはプログラムを提供することである。【解決手段】  端末間の無線通信設定方法は、第１端末と第２端末とを接続ケーブルを介して有線接続する第１ステップＳ１１と、第１端末が対応する無線通信に関する情報を第１情報テーブルＴ１として検出する第２ステップＳ１４と、第２端末が対応する無線通信に関する情報を第２情報テーブルＴ２として検出する第３ステップＳ１７と、接続ケーブルを介して、第１、第２情報テーブルＴ１、Ｔ２を比較し、第１、第２情報テーブルＴ１、Ｔ２が共通して有し、第１、第２端末のいずれもが対応可能な無線通信に関する情報を登録テーブルＴＴとして決定する第４ステップＳ１９とを備える。【選択図】        図４
2007060234.tif 000002
【特許請求の範囲】
【請求項１】
第１端末と第２端末とを接続ケーブルを介して有線接続する第１ステップと、
前記第１端末が対応する無線通信に関する情報を第１情報テーブルとして検出する第２ステップと、
前記第２端末が対応する無線通信に関する情報を第２情報テーブルとして検出する第３ステップと、
前記接続ケーブルを介して、前記第１、第２情報テーブルを比較し、前記第１、第２情報テーブルが共通して有し、前記第１、第２端末のいずれもが対応可能な無線通信に関する情報を登録テーブルとして決定する第４ステップとを備える端末間の無線通信設定方法。
【請求項２】
前記登録テーブルは、前記第１、第２端末それぞれのＩＰアドレスを有し、前記第１、第２端末間の無線通信を行う際のセキュリティキーを有することを特徴とする請求項１に記載の無線通信設定方法。
【請求項３】
前記セキュリティキーは前記第１、第２端末の間の無線通信を行う際の認証の為に設定された識別番号であることを特徴とする請求項２に記載の無線通信設定方法。
【請求項４】
前記第４ステップにおいて、前記第１、第２端末のいずれもが対応可能な無線通信に関する情報が複数ある場合は、優先順位に基づいて選択されることを特徴とする請求項１に記載の無線通信設定方法。
【請求項５】
前記優先順位は、通信速度、消費電力、セキュリティ度合いの少なくとも１つであることを特徴とする請求項４に記載の無線通信設定方法。
【請求項６】
前記無線通信に関する情報は、ＩＤ、ＭＡＣアドレス、通信方式、通信プロトコル、及び暗号化方式を有することを特徴とする請求項１に記載の無線通信設定方法。
【請求項７】
前記ＩＤは、使用者によって設定され、前記ＭＡＣアドレスは、端末の無線通信部が有する固有の識別番号であり、前記通信方式は、ＩＥＥＥ８０２．１１の規格種類であることを特徴とする請求項６に記載の無線通信設定方法。
【請求項８】
前記有線接続を解除する第５ステップと、
無線で、前記第１端末と、前記第２端末との認証を行う第６ステップとを更に備える請求項１に記載の無線通信設定方法。
【請求項９】
前記登録テーブルは、前記第１、第２端末それぞれのＩＤ、ＭＡＣアドレス、ＩＰアドレスを有し、前記第１、第２端末間の無線通信を行う際のセキュリティキーを有し、前記認証は、前記第１端末の登録テーブルのＩＤ、ＭＡＣアドレス、及びセキュリティキーと、前記第２端末の登録テーブルのＩＤ、ＭＡＣアドレス、及びセキュリティキーが合致するか否かを判断することにより行われることを特徴とする請求項８に記載の無線通信設定方法。
【請求項１０】
第１端末が対応する無線通信に関する情報を第１情報テーブルとして検出し、
第２情報テーブルとして検出された第２端末が対応する無線通信に関する情報を、前記第１、第２端末間に有線接続された接続ケーブルを介して前記第２端末から取得し、
前記第１、第２情報テーブルを比較し、前記第１、第２情報テーブルが共通して有し、前記第１、第２端末のいずれもが対応可能な無線通信に関する情報を登録テーブルとして決定する端末間の無線通信設定プログラム。
【請求項１１】
前記登録テーブルを前記第１端末に記録し、前記接続ケーブルを介して前記第２端末に記録することを特徴とする請求項１０に記載の無線通信設定プログラム。
【発明の詳細な説明】
【技術分野】
【０００１】
本発明は、通信設定方法に関し、特に端末間を無線で通信する際の通信設定に関する。
【背景技術】
【０００２】
端末同士で通信を行う際に、ＩＥＥＥ８０２．１１などを使った無線による通信が提案されている。
【発明の開示】
【発明が解決しようとする課題】
【０００３】
しかし、無線通信に関する情報は多岐に渡り、これらを端末間で統一しなければ無線通信を行うことは出来ない。これらの設定は有線通信の設定に比べて困難である。
【０００４】
したがって本発明の目的は、無線通信の設定を簡素化する方法またはプログラムを提供することである。
【課題を解決するための手段】
【０００５】
本発明に係る端末間の無線通信設定方法は、第１端末と第２端末とを接続ケーブルを介して有線接続する第１ステップと、第１端末が対応する無線通信に関する情報を第１情報テーブルとして検出する第２ステップと、第２端末が対応する無線通信に関する情報を第２情報テーブルとして検出する第３ステップと、接続ケーブルを介して、第１、第２情報テーブルを比較し、第１、第２情報テーブルが共通して有し、第１、第２端末のいずれもが対応可能な無線通信に関する情報を登録テーブルとして決定する第４ステップとを備える。
【０００６】
好ましくは、登録テーブルは、第１、第２端末それぞれのＩＰアドレスを有し、第１、第２端末間の無線通信を行う際のセキュリティキーを有する。
【０００７】
さらに好ましくは、セキュリティキーは第１、第２端末の間の無線通信を行う際の認証の為に設定された識別番号である。
【０００８】
また、好ましくは、第４ステップにおいて、第１、第２端末のいずれもが対応可能な無線通信に関する情報が複数ある場合は、優先順位に基づいて選択される。
【０００９】
さらに好ましくは、優先順位は、通信速度、消費電力、セキュリティ度合いの少なくとも１つである。
【００１０】
また、好ましくは、無線通信に関する情報は、ＩＤ、ＭＡＣアドレス、通信方式、通信プロトコル、及び暗号化方式を有する。
【００１１】
さらに好ましくは、ＩＤは、使用者によって設定され、ＭＡＣアドレスは、端末の無線通信部が有する固有の識別番号であり、通信方式は、ＩＥＥＥ８０２．１１の規格種類である。
【００１２】
また、好ましくは、有線接続を解除する第５ステップと、無線で、第１端末と、第２端末との認証を行う第６ステップとを更に備える。
【００１３】
さらに好ましくは、登録テーブルは、第１、第２端末それぞれのＩＤ、ＭＡＣアドレス、ＩＰアドレスを有し、第１、第２端末間の無線通信を行う際のセキュリティキーを有し、認証は、第１端末の登録テーブルのＩＤ、ＭＡＣアドレス、及びセキュリティキーと、第２端末の登録テーブルのＩＤ、ＭＡＣアドレス、及びセキュリティキーが合致するか否かを判断することにより行われる。
【００１４】
本発明に係る端末間の無線通信設定プログラムは、第１端末が対応する無線通信に関する情報を第１情報テーブルとして検出し、第２情報テーブルとして検出された第２端末が対応する無線通信に関する情報を、第１、第２端末間に有線接続された接続ケーブルを介して第２端末から取得し、第１、第２情報テーブルを比較し、第１、第２情報テーブルが共通して有し、第１、第２端末のいずれもが対応可能な無線通信に関する情報を登録テーブルとして決定する。
【００１５】
好ましくは、登録テーブルを第１端末に記録し、接続ケーブルを介して第２端末に記録する。
【発明の効果】
【００１６】
以上のように本発明によれば、無線通信の設定を簡素化する方法またはプログラムを提供することができる。
【発明を実施するための最良の形態】
【００１７】
以下、本実施形態について、図を用いて説明する。本実施形態におけるネットワークシステム１は、第１端末１０、第２端末２０、及び接続ケーブル３０とを備える（図１参照）。本実施形態では、第１、第２端末１０、２０は、有線通信、及び無線通信でデータが送受信可能な、パーソナルコンピュータ、ＰＤＡ（Ｐｅｒｓｏｎａｌ  Ｄｉｇｉｔａｌ  Ａｓｓｉｓｔａｎｔｓ）などのコンピュータである。接続ケーブル３０は、第１、第２端末１０、２０を繋ぐ。
【００１８】
有線通信の形態は、有線ＬＡＮ、電話回線、ＩＳＤＮ（Ｉｎｔｅｇｒａｔｅｄ  Ｓｅｒｖｉｃｅｓ  Ｄｉｇｉｔａｌ  Ｎｅｔｗｏｒｋ）、ＵＳＢ（Ｕｎｉｖｅｒｓａｌ  Ｓｅｒｉａｌ  Ｂｕｓ）、ＩＥＥＥ１３９４等の汎用の有線通信形態であってもよいし、第１、第２端末１０、２０間特有の有線通信形態であってもよい。
【００１９】
無線通信の形態は、ＩＥＥＥ８０２．１１ａ、ｂ（ｇ）、ｅなどの無線ＬＡＮの標準規格、またはＢｌｕｅｔｏｏｔｈである。
【００２０】
第１端末１０は、第１制御部１１、第１表示部１２、第１操作部１３、第１記録部１４、第１端子１５、及び第１無線通信部１６を有する。
【００２１】
第１制御部１１は、各部の制御を行う装置で、例えばＤＳＰ（Ｄｉｇｉｔａｌ  Ｓｉｇｎａｌ  Ｐｒｏｃｅｓｓｏｒ）、ＣＰＵ（Ｃｅｎｔｒａｌ  Ｐｒｏｃｅｓｓｉｎｇ  Ｕｎｉｔ）が挙げられる。第１表示部１２は、第２端末２０との通信設定の状況（例えば、第１、第２情報テーブルＴ１、Ｔ２、又は登録テーブルＴＴ）を表示する（図２、図３参照）。第１操作部１３は、入力装置で、特にテーブル作成プログラム起動時で第２端末２０との通信設定を行う際の使用者による指示に使用される。第１記録部１４には、本実施形態のテーブル作成プログラム、及び初期設定プログラムがインストールされている。第１記録部１４は、第１情報テーブルＴ１、及び第２端末２０との共通の通信設定を登録した登録テーブルＴＴを記録する。
【００２２】
第１端子１５は、接続ケーブル３０が取り付けられる端子で、第１端子１５を介して、第２端末２０との有線接続が可能になる。第１無線通信部１６は、無線ＬＡＮによる通信を行う機器で、固有のＭＡＣアドレス（Ｍｅｄｉａ  Ａｃｃｅｓｓ  Ｃｏｎｔｒｏｌ  Ａｄｄｒｅｓｓ）を有する。第１無線通信部１６は、第１端末１０に内蔵されたものであってもよいし、ＣＦ（Ｃｏｍｐａｃｔ  Ｆｒａｓｈ）タイプの無線ＬＡＮカードなど、第１端末１０から取り外し可能なものであってもよい。
【００２３】
第２端末２０は、第２制御部２１、第２表示部２２、第２操作部２３、第２記録部２４、第２端子２５、及び第２無線通信部２６を有する。
【００２４】
第２制御部２１は、各部の制御を行う装置で、例えばＤＳＰ（Ｄｉｇｉｔａｌ  Ｓｉｇｎａｌ  Ｐｒｏｃｅｓｓｏｒ）、ＣＰＵ（Ｃｅｎｔｒａｌ  Ｐｒｏｃｅｓｓｉｎｇ  Ｕｎｉｔ）が挙げられる。第２表示部２２は、第１端末１０との通信設定の状況（例えば、第１、第２情報テーブルＴ１、Ｔ２、又は登録テーブルＴＴ）を表示する。第２操作部２３は、入力装置である。第２記録部２４には、本実施形態のテーブル作成プログラム、及び初期設定プログラムがインストールされている。第２記録部２４は、第２情報テーブルＴ２、及び第１端末１０との共通の通信設定を登録した登録テーブルＴＴを記録する。
【００２５】
第２端子２５は、接続ケーブル３０が取り付けられる端子で、第２端子２５を介して、第１端末１０との有線接続が可能になる。第２無線通信部２６は、無線ＬＡＮによる通信を行う機器で、固有のＭＡＣアドレス（Ｍｅｄｉａ  Ａｃｃｅｓｓ  Ｃｏｎｔｒｏｌ  Ａｄｄｒｅｓｓ）を有する。第２無線通信部２６は、第２端末２０に内蔵されたものであってもよいし、ＣＦ（Ｃｏｍｐａｃｔ  Ｆｒａｓｈ）タイプの無線ＬＡＮカードなど、第２端末２０から取り外し可能なものであってもよい。
【００２６】
テーブル作成プログラムは、インストールされた端末の無線通信に関する情報としてＩＤ、ＭＡＣアドレス、通信方式、通信プロトコル（プロトコル、アプリケーション）、暗号化方式を検出し、情報テーブルを作成する。第１端末１０において検出された情報テーブルを第１情報テーブルＴ１、第２端末２０において検出された情報テーブルを第２情報テーブルＴ２とする。
【００２７】
情報テーブルは、端末のＩＤ、ＭＡＣアドレス、通信方式、通信プロトコル（プロトコル、アプリケーション）、暗号化方式の情報を有する（図２参照）。
【００２８】
ＩＤは、端末の固有の識別番号で、使用者が自由に定める。第１端末１０のＩＤはＰＣＡであり、第２端末２０のＩＤはＭＰＢである。ＭＡＣアドレスは、総てのＮＩＣ（Ｎｅｔｗｏｒｋ  Ｉｎｔｅｒｆａｃｅ  Ｃａｒｄ）に固有に設定された識別番号であり、第１端末１０の第１無線通信部１６、及び第２端末２０の第２無線通信部２６が固有の番号を有する。
【００２９】
通信方式の項目欄には、端末が対応するＩＥＥＥ８０２．１１の規格の種類や、Ｂｌｕｅｔｏｏｔｈ機能の有無が列挙される。第１端末１０は、ＩＥＥＥ８０２．１１ｇとＩＥＥＥ８０２．１１ａに対応しており、Ｂｌｕｅｔｏｏｔｈには対応していない。第２端末２０は、ＩＥＥＥ８０２．１１ｂに対応しており、Ｂｌｕｅｔｏｏｔｈには対応していない。
【００３０】
プロトコルの項目欄には、端末が対応するプロトコルが列挙される。具体的にはＯＳＩ（Ｏｐｅｎ  Ｓｙｓｔｅｍｓ  Ｉｎｔｅｒｃｏｎｎｅｃｔｉｏｎ）参照モデルのトランスポート層がＵＤＰ（Ｕｓｅｒ  Ｄａｔａｇｒａｍ  Ｐｒｏｔｏｃｏｌ）、及びＴＣＰ（Ｔｒａｎｓｍｉｓｓｉｏｎ  Ｃｏｎｔｒｏｌ  Ｐｒｏｔｏｃｏｌ）に対応するか否かが列挙され、またインターネットプロトコルがＩＰｖ４（Ｉｎｔｅｒｎｅｔ  Ｐｒｏｔｏｃｏｌ  Ｖｅｒｓｉｏｎ  ４）、及びＩＰｖ６（Ｉｎｔｅｒｎｅｔ  Ｐｒｏｔｏｃｏｌ  Ｖｅｒｓｉｏｎ  ６）に対応するか否かが列挙される。第１端末１０は、ＵＤＰ／ＩＰｖ４、ＴＣＰ／ＩＰｖ４、及びＴＣＰ／ＩＰｖ６に対応する。
【００３１】
アプリケーションの項目欄には、端末が対応するファイル転送プロトコルが列挙される。具体的にはＯＳＩ参照モデルのアプリケーション層がＦＴＰ（Ｆｉｌｅ  Ｔｒａｎｓｆｅｒ  Ｐｒｏｔｏｃｏｌ）、及びＨＴＴＰ（Ｈｙｐｅｒ  Ｔｅｘｔ  Ｔｒａｎｓｆｅｒ  Ｐｒｏｔｏｃｏｌ）に対応するか否かが列挙される。第１端末１０は、ＦＴＰ及びＨＴＴＰに対応し、第２端末２０は、ＦＴＰに対応する。
【００３２】
暗号化方式の項目欄には、端末が対応する無線通信における暗号化方式が列挙される。第１端末１０は、ＷＰＡ（Ｗｉ−Ｆｉ  Ｐｒｏｔｅｃｔｅｄ  Ａｃｃｅｓｓ）、及びＷＥＰ（Ｗｉｒｅｄ  Ｅｑｕｉｖａｌｅｎｔ  Ｐｒｉｖａｃｙ）に対応し、第２端末２０はＷＥＰに対応する。
【００３３】
テーブル作成プログラムは、第１、第２端末１０、２０が有線接続状態において、互いの情報テーブル（第１、第２情報テーブルＴ１、Ｔ２）を比較し、共通の無線通信方式、通信プロトコル（プロトコル、アプリケーション）、暗号化方式を決定する。情報テーブルの比較は、ホスト側の端末（本実施形態では第１端末１０）のテーブル作成プログラムにより、クライアント側（本実施形態では第２端末２０）の情報テーブル（第２情報テーブルＴ２）を、有線通信により取得し、ホスト側の端末で、互いの情報テーブルを比較する。
【００３４】
共通の無線通信方式が複数ある場合には、テーブル作成プログラムに予め設定された優先順位の高い方を選択してもよいし、選択指示を促す表示を第１表示部１２に表示させて、第１操作部１３を介して使用者に選択させてもよい。優先順位は、通信速度優先、消費電力優先、セキュリティ度合い優先などに設定される。共通の通信プロトコルが複数ある場合、共通の暗号化方式が複数ある場合も同様である。
【００３５】
決定された共通の無線通信方式、通信プロトコル、暗号化方式に基づいて登録テーブルＴＴが作成される。登録テーブルＴＴは、互いの端末のＩＤ、ＭＡＣアドレス、ＩＰアドレスと、共通の無線通信方式、通信プロトコル、暗号化方式と、セキュリティキーを有する（図３参照）。登録テーブルＴＴは、第１端末１０の第１記録部１４に記録され、接続ケーブル３０を介して第２端末２０の第２記録部２４に記録される。
【００３６】
ＩＰアドレスは、共通の無線通信に関する情報の決定後に、テーブル作成プログラムにより自動的に設定される。セキュリティキーは、第１、第２端末１０、２０の間で無線通信が行われる際に、互いの端末が相手の端末を認証するための識別番号で、第１、第２端末１０、２０間の無線通信のための固有の番号である。
【００３７】
図３は、第１端末１０の第１記録部１４、及び第２端末２０の第２記録部２４に記録された登録テーブルＴＴを示す。ＩＤは第１端末１０のＩＤ：ＰＣＡである。対向ＩＤは第２端末２０のＩＤ：ＭＰＢである。ＭＡＣアドレスは第１端末１０のＭＡＣアドレスである。対向ＭＡＣアドレスは第２端末２０のＭＡＣアドレスである。通信方式は、第１、第２端末１０、２０が共通に対応可能なＩＥＥＥ８０２．１１ｂ（ＩＥＥＥ８０２．１１ｇはＩＥＥＥ８０２．１１ｂに対応）である。プロトコルは第１、第２端末１０、２０が共通に対応可能なＴＣＰ／ＩＰｖ４である。アプリケーションは第１、第２端末１０、２０が共通に対応可能なＦＴＰである。暗号化方式は第１、第２端末１０、２０が共通に対応可能なＷＥＰである。ＩＰアドレスは第１端末１０のＩＰアドレスで１９２．１６８．１．５に設定され、対向ＩＰアドレスは第２端末２０のＩＰアドレスで１９２．１６８．１．６に設定される。ＩＰアドレス、対向ＩＰアドレスの値は一例である。
【００３８】
無線通信を行う端末の組み合わせが複数ある場合は、組み合わせの数だけ登録テーブルＴＴが作成される。すなわち、無線通信を、第１、第２端末１０、２０の間で行うだけでなく、第１端末１０と他の端末の間で行う場合には、第１、第２端末１０、２０の間で設定された登録テーブルＴＴと、第１端末１０と他の端末の間で設定された別の内容の登録テーブルＴＴが作成される。
【００３９】
なお、第１、第２端末１０、２０がいずれもＢｌｕｅｔｏｏｔｈに対応しており、通信方式とＩＥＥＥ８０２．１１ではなく、Ｂｌｕｅｔｏｏｔｈを選択する場合は、通信方式をＢｌｕｅｔｏｏｔｈにし、通信プロトコル、及び暗号化方式を特に設定しない状態の登録テーブルＴＴを作成する。
【００４０】
初期設定プログラムは、登録テーブルＴＴを使って、第１、第２端末１０、２０の間の無線通信設定を行う。具体的には、第１端末１０が、他の端末との無線通信における認証時に、他の端末に記録された登録テーブルＴＴと、第１端末１０が有する登録テーブルＴＴを比較し、ＩＤ、ＭＡＣアドレス、及びセキュリティキーが合致した場合に、他の端末が第２端末２０であると認識して、第１端末１０の無線通信設定を登録テーブルＴＴに基づいて行う。第２端末２０側も同様の認証、比較、設定を行う。初期設定プログラムによる無線通信設定は、第１、第２端末１０、２０の間の無線通信を最初に行う場合に必要な初期設定であり、一旦、正常に通信が行われた後は行う必要がない。
【００４１】
次に、第１、第２端末１０、２０を、接続ケーブル３０を介して有線接続し、登録テーブルＴＴを作成する流れを図４のフローチャートを用いて説明する。ステップＳ１１で、接続ケーブル３０を、第１端子１５、第２端子２５に接続し、第１、第２端末１０、２０間を有線接続する。
【００４２】
ステップＳ１２で、第１端末１０の第１記録部１４にインストールされたテーブル作成プログラムが起動される。ステップＳ１３で、第１記録部１４に第１情報テーブルＴ１が記録されているか否かが判断される。第１情報テーブルＴ１が記録されていない場合、及び更新する必要がある場合は、ステップＳ１４で、第１端末１０のＩＤなどが検出され、第１情報テーブルＴ１が作成され、第１記録部１４に記録される。既に記録されており更新の必要がない場合は、ステップＳ１５に進められる。
【００４３】
ステップＳ１５で、第２端末２０の第２記録部２４にインストールされたテーブル作成プログラムが起動される。ステップＳ１６で、第２記録部２４に第２情報テーブルＴ２が記録されているか否かが判断される。第２情報テーブルＴ２が記録されていない場合、及び更新する必要がある場合は、ステップＳ１７で、第２端末２０のＩＤなどが検出され、第２情報テーブルＴ２が作成され、第２記録部２４に記録される。既に記録されており更新の必要がない場合は、ステップＳ１８に進められる。
【００４４】
第１端末１０のテーブル作成プログラムが、第２端末２０のテーブル作成プログラムよりも先に起動されたことで、第１端末１０がホスト、第２端末がクライアントとされる。ステップＳ１８で、第１端末１０のテーブル作成プログラムの機能により、接続ケーブル３０を介して第２端末２０と有線通信が行われ、第２端末２０の第２情報テーブルＴ２を取得する。ステップＳ１９で、第１端末１０のテーブル作成プログラムの機能により、第１、第２情報テーブルＴ１、Ｔ２が比較され、登録テーブルＴＴが作成される。登録テーブルＴＴ作成時に、第１、第２端末１０、２０のＩＰアドレス、セキュリティキーが設定される。
【００４５】
ステップＳ２０で、登録テーブルＴＴが第１記録部１４に記録される。登録テーブルＴＴが接続ケーブル３０を介して第２端末２０に送信され、第２記録部２４に記録される。ステップＳ２１で、第１、第２端末１０、２０の有線接続状態が解除され、登録テーブルＴＴ作成動作が終了される。
【００４６】
これにより、端末間で無線通信を行う際に、共通の通信プロトコルを決定する手順が、使用者の手作業により、それぞれの端末の無線通信に関する特性を調べて共通の通信プロトコルなどを決定する場合に比べて、簡素化される。また、有線接続で、両端末の通信プロトコルなどを取得するので、無線接続状態でこれらの情報を取得する場合に比べて、第三者に情報が漏れる危険性が少ない。そのため、無線ネットワーク設定に熟知していない者であっても容易に、端末間の無線通信設定を行うことが可能になる。
【００４７】
登録テーブルＴＴに基づいて、第１、第２端末１０、２０の無線通信設定を使用者の手作業で行っても良いが、後述するように無線通信設定を、初期設定プログラムにおいて行っても良い。使用者による手作業で無線通信設定を行う場合は、登録テーブルＴＴを第１端末１０の第１表示部１２などで出力し、出力された登録テーブルＴＴに基づいて、それぞれの端末の通信プロトコル設定等を行う。本実施形態では、無線通信設定を、初期設定プログラムを使って自動的に行う。初期設定プログラムを使って、第１、第２端末１０、２０間で無線通信を行う手順を図５のフローチャートで説明する。
【００４８】
ステップＳ３１で、第１、第２端末１０、２０それぞれにインストールされた初期設定プログラムが起動される。ステップＳ３２で、第１端末１０から他の無線通信可能な機器を検索するための電波が発信される。同様に第２端末２０から他の無線通信可能な機器を検索するための電波が発信される。ステップＳ３３で、発信電波に対応した応答があるか否かが判断される。応答がない場合は、ステップＳ３２に戻る。応答がある場合は、ステップＳ３４で、登録テーブルＴＴに格納されたＩＤ、ＭＡＣアドレス、セキュリティキーを使って認証を行う。
【００４９】
具体的には、第１端末１０の初期設定プログラムにより、第１端末１０と応答があった端末が第２端末２０であるかどうかを、登録テーブルＴＴに基づいて認証する。同様に第２端末２０の初期設定プログラムにより、第２端末２０と応答があった端末が第１端末１０であるかどうかを、登録テーブルＴＴに基づいて認証する。
【００５０】
応答があった端末同士が、第１、第２端末１０、２０である場合には、互いの記録部に同じ内容の登録テーブルＴＴが記録されているので、ＩＤ、ＭＡＣアドレス、セキュリティキーが合致する。応答があった端末が第１、第２端末１０、２０の少なくとも一方が異なる場合は、ＩＤ、ＭＡＣアドレス、セキュリティキーが合致しない。また、応答があった端末が、第１、第２端末１０、２０であっても、第１、第２無線通信部１６、２６の少なくとも一方が登録テーブルＴＴ設定時と異なる無線通信機器に置き換えられている場合は、ＭＡＣアドレスが異なるので、合致しない。
【００５１】
ステップＳ３５で、認証において、ＩＤ、ＭＡＣアドレス、セキュリティキーが合致したか否かが判断される。合致しない場合はステップＳ３２に戻る。合致する場合は、応答があった端末が、第１、第２端末１０、２０であると認識され、登録テーブルＴＴの通信プロトコルなどに基づいて、第１、第２端末１０、２０の無線通信設定が行われる。これにより、第１、第２端末１０、２０の間で無線による通信が可能な状態にされる。
【００５２】
初期設定プログラムにより、第１、第２端末１０、２０間の無線通信設定が、使用者の手動により行われる場合に比べて簡素化される。
【図面の簡単な説明】
【００５３】
【図１】本実施形態におけるネットワークシステムの構成図である。
【図２】第１、第２情報テーブルを示す構成図である。
【図３】登録テーブルを示す構成図である。
【図４】登録テーブルを作成する手順を示すフローチャートである。
【図５】登録テーブルに基づいて無線通信設定を行う手順を示すフローチャートである。
【符号の説明】
【００５４】
１  ネットワークシステム
１０、２０  第１、第２端末
１１、２１  第１、第２制御部
１２、２２  第１、第２表示部
１３、２３  第１、第２操作部
１４、２４  第１、第２記録部
１５、２５  第１、第２端子
１６、２６  第１、第２無線通信部
３０  接続ケーブル
Ｔ１、Ｔ２  第１、第２情報テーブル
ＴＴ  登録テーブル
【図１】
2007060234.tif 000003
【図２】
2007060234.tif 000004
【図３】
2007060234.tif 000005
【図４】
2007060234.tif 000006
【図５】
2007060234.tif 000007